(57)【要約】  【課題】  周囲がどんな騒音状態にあっても、音声を聞き取れる骨伝動スピーカを搭載したリモコンを提供する。  【解決手段】  音声送信装置１００では、テレビ受信機１から出力された音声信号をＦＭ変調部３により変調し、この変調された音声信号は赤外線信号として赤外線発光ダイオード８から送信される。リモコン本体１０２では、音声送信装置１００から送信されてきた赤外線信号を赤外線フォトトランジスタ９により受信し、この受信した赤外線信号をＦＭ復調部１５により復調し、この復調して得られた音声信号をアンプ１１で増幅し、この増幅した音声信号を骨伝導スピーカ１２に入力し、これにより、骨伝動スピーカ１２は駆動して音声が骨伝動でユーザの聴覚器官に伝えられる。【選択図】      図１
2007081659.tif 000002
【特許請求の範囲】
【請求項１】
音声発生手段を有する電子機器を遠隔制御するリモコンにおいて、前記電子機器から出
力される音声信号を変調する変調手段と、この変調手段で変調された音声信号を赤外線信
号として送信する赤外線送信手段とを有する音声送信装置を備えると共に、前記音声送信
装置から送信されてきた赤外線信号を受信する赤外線受信手段と、この赤外線受信手段で
受信した赤外線信号を復調する復調手段と、この復調手段で復調して得られた音声信号を
増幅する増幅手段と、この増幅手段からの音声信号を入力して音声化する骨伝導スピーカ
とを有するリモコン本体を備えたことを特徴とするリモコン。
【請求項２】
音声発生手段を有する電子機器を遠隔制御するリモコンにおいて、前記電子機器から出
力された音声信号を送信する音声送信装置と、骨伝導スピーカが備えられ前記音声送信装
置から送信されてきた音声信号を前記骨伝導スピーカに入力して音声化するリモコン本体
とを備えたことを特徴とするリモコン。
【請求項３】
前記リモコンは、電子機器から出力された音声信号を変調する変調手段と、この変調手
段で変調された音声信号を赤外線信号として送信する赤外線送信手段とを有する音声送信
装置を備えると共に、前記音声送信装置から送信されてきた赤外線信号を受信する赤外線
受信手段と、この赤外線受信手段で受信した赤外線信号を復調する復調手段と、この復調
手段で復調して得られた音声信号を増幅する増幅手段と、この増幅手段からの音声信号を
入力して音声化する骨伝導スピーカとを有するリモコン本体を備えたことを特徴とする請
求項２に記載のリモコン。
【発明の詳細な説明】
【技術分野】
【０００１】
本発明は、テレビ受信機やオーディオ機器などの音声発生手段を有する電子機器を遠隔
制御するリモコン（リモートコントローラ）に関する。
【背景技術】
【０００２】
テレビ受信機やオーディオ機器などは、通常、部屋の壁際などユーザから離れた場所に
置かれる。特に、広いリビングで大勢のユーザが一緒にテレビ受信機やオーディオ機器な
どからの出力音声を聴く時や、台所での作業時など生活音で、その出力音声が聴こえにく
い場合には、テレビ受信機やオーディオ機器などのスピーカの音量を上げる必要があり、
周囲に気を遣わなければならなかった。また、ベッドサイドなどで深夜一人で音声を聴き
たい場合、音声が周囲に漏れないように、しばしばイヤホンが利用される。耳の遠い老人
がテレビ番組を視聴する場合には、テレビ受信機にイヤホンを接続して視聴するのが一般
的である。しかし、イヤホンを耳に装着すると、圧迫感がある上、耳から外れ易いなどの
煩わしさがあった。
【０００３】
そこで、例えば特許文献１で示されるようなコードレススピーカ付きリモコンが提案さ
れている。このコードレススピーカ付きリモコンは、遠隔制御の対象である音源機器に接
続され、その音源機器から供給される音声信号を送信する音声送信装置と、当該音声送信
装置からの音声信号を受信してコードレススピーカから音声を出力し、かつ音源機器を遠
隔制御する音声受信リモコン装置とから構成されるので、このリモコンをユーザの側に置
けば、イヤホンを使用する必要が無くなる。
【特許文献１】特開２００２−２７１８７２号公報
【特許文献２】特開平７−３３６７７８号公報
【発明の開示】
【発明が解決しようとする課題】
【０００４】
しかしながら、コードレススピーカが台所の作業の生活音や換気扇などの騒音が聞こえ
る場所に置かれている場合、ユーザはスピーカの音声が聴き取り難くなるという課題が生
じる。
【０００５】
なお、特許文献２の従来技術は、リモコンにスピーカが設けられ、また、イヤホンやヘ
ッドホンを接続できるようになっているが、この従来技術も、リモコンが台所の作業の生
活音や換気扇などの騒音が聞こえる場所に置かれている場合、ユーザはスピーカの音声が
聴き取り難くなるという課題が生じる。
【０００６】
本発明は、上記のような課題を解決するためになされたもので、周囲がどんな騒音状態
にあっても、音声を聴き取れる骨伝動スピーカを搭載したリモコンを提供することを目的
とする。
【課題を解決するための手段】
【０００７】
上記目的を達成するために、請求項１の発明は、音声発生手段を有する電子機器を遠隔
制御するリモコンにおいて、前記電子機器から出力された音声信号を変調する変調手段と
、この変調手段で変調された音声信号を赤外線信号として送信する赤外線送信手段とを有
する音声送信装置を備えると共に、前記音声送信装置から送信されてきた赤外線信号を受
信する赤外線受信手段と、この赤外線受信手段で受信した赤外線信号を復調する復調手段
と、この復調手段で復調して得られた音声信号を増幅する増幅手段と、この増幅手段から
の音声信号を入力して音声化する骨伝導スピーカとを有するリモコン本体を備えたことを
特徴とするリモコンを提供する。
【０００８】
この構成において、音声送信装置では、電子機器から出力された音声信号を変調手段に
より変調し、この変調された音声信号は赤外線信号として赤外線送信手段から送信される
。リモコン本体では、前記音声送信装置から送信されてきた赤外線信号を赤外線受信手段
により受信し、この受信した赤外線信号を復調手段により復調し、この復調して得られた
音声信号を増幅手段で増幅し、この増幅した音声信号を骨伝導スピーカに入力し、これに
より、骨伝動スピーカは駆動して音声が骨伝動でユーザの聴覚器官に伝えられる。
【０００９】
この構成によれば、電子機器のスピーカから離れた場所で音声が聴き取り難い場合であ
っても、スピーカの音量を上げることなく、リモコンの骨伝動スピーカから音声を聴くこ
とができるようになる。
【００１０】
請求項２の発明は、音声発生手段を有する電子機器を遠隔制御するリモコンにおいて、
前記電子機器から出力された音声信号を送信する音声送信装置と、骨伝導スピーカが備え
られ前記音声送信装置から送信されてきた音声信号を前記骨伝導スピーカに入力して音声
化するリモコン本体とを備えたことを特徴とするリモコンを提供する。
【００１１】
この構成において、電子機器から出力された音声信号は音声送信装置から送信され、こ
の送信されてきた音声信号を受信したリモコン本体は、その音声信号を骨伝動スピーカに
供給し、骨伝導スピーカで音声化する。
【００１２】
この構成によれば、電子機器のスピーカから離れた場所で音声が聴き取り難い場合であ
っても、スピーカの音量を上げることなく、リモコンの骨伝動スピーカから音声を聴くこ
とができるようになる。
【００１３】
請求項３の発明では、請求項２の発明において、リモコンは、電子機器から出力された
音声信号を変調する変調手段と、この変調手段で変調された音声信号を赤外線信号として
送信する赤外線送信手段とを有する音声送信装置を備えると共に、前記音声送信装置から
送信されてきた赤外線信号を受信する赤外線受信手段と、この赤外線受信手段で受信した
赤外線信号を復調する復調手段と、この復調手段で復調して得られた音声信号を増幅する
増幅手段と、この増幅手段からの音声信号を入力して音声化する骨伝導スピーカとを有す
るリモコン本体を備えたので、電子機器から出力された音声信号を音声送信装置によりリ
モコン本体に伝えることができ、骨伝動スピーカで音声を聴くことが可能になる。
【発明の効果】
【００１４】
以上のように本発明によれば、音声発生手段を有する電子機器を遠隔制御するリモコン
において、前記電子機器から出力された音声信号を変調する変調手段と、この変調手段で
変調された音声信号を赤外線信号として送信する赤外線送信手段とを有する音声送信装置
を備えると共に、前記音声送信装置から送信されてきた赤外線信号を受信する赤外線受信
手段と、この赤外線受信手段で受信した赤外線信号を復調する復調手段と、この復調手段
で復調して得られた音声信号を増幅する増幅手段と、この増幅手段からの音声信号を入力
して音声化する骨伝導スピーカとを有するリモコン本体を備えたので、電子機器のスピー
カから離れた場所で音声が聴き取り難い場合であっても、スピーカの音量を上げることな
く、リモコンの骨伝動スピーカから音声を聴くことができるようになる。
【００１５】
また、本発明によれば、音声発生手段を有する電子機器を遠隔制御するリモコンにおい
て、前記電子機器から出力された音声信号を送信する音声送信装置と、骨伝導スピーカが
備えられ前記音声送信装置から送信されてきた音声信号を前記骨伝導スピーカに入力して
音声化するリモコン本体とを備えたので、電子機器のスピーカから離れた場所で音声が聴
き取り難い場合であっても、スピーカの音量を上げることなく、リモコンの骨伝動スピー
カから音声を聴くことができるようになる。
【発明を実施するための最良の形態】
【００１６】
以下、添付図面を参照しつつ、本発明の実施の形態について説明する。図１は本発明の
一実施形態に係るリモコンの構成を示すブロック図である。
【００１７】
図１において、リモコンＲは、この例の場合、遠隔制御対象のテレビ受信機１に接続さ
れ、そのテレビ受信機１から供給される音声信号を送信する音声送信装置１００と、この
音声送信装置１００からの音声信号を受信して骨伝導スピーカ１２から音声を出力すると
共にテレビ受信機１を遠隔制御するリモコン本体１０２とから構成される。なお、音声発
生手段を有する電子機器としては、テレビ受信機以外にオーディオ機器などもあり、テレ
ビ受信機にＤＶＤプレイヤやＤＶＤレコーダあるいはビデオカセットレコーダ（ＶＣＲ）
が接続されている場合や、テレビ受信機およびオーディオ機器にＤＶＤプレイヤやＤＶＤ
レコーダあるいはビデオカセットレコーダ（ＶＣＲ）が接続されている場合もあるが、こ
こでは、遠隔制御対象をテレビ受信機として説明する。
【００１８】
なお、リモコン本体１０２からの赤外線を受光するリモコン受光部２３は、通常、テレ
ビ受信機１に内蔵されている。即ち、リモコン受光部２３は、音声発生手段を有する電子
機器が、テレビ受信機であればテレビ受信機に、オーディオ機器であればオーディオ機器
に、それぞれ内蔵されている。また、音声信号は出力するが、直接音声を発生する電子機
器ではない、ＤＶＤプレイヤやＤＶＤレコーダあるいはビデオカセットレコーダにも、リ
モコン受光部２３が内蔵されても良い。また、このようなリモコン受光部２３が外付けの
受光ボックスで構成された場合、この受光ボックスが光ファイバなどを通じて音声発生手
段を有する電子機器と接続されていても良い。
【００１９】
ここで、骨伝動スピーカの特徴について説明する。骨伝動スピーカは、表面が有機物材
料で覆われた独自の構造をしており、外観はただの薄い板状になっている。例えば、図２
に示すように、骨伝動スピーカ１２は、圧電素子１２１の周囲が外部被覆構造の有機物材
料１２２に覆われて構成されている。このような構造の骨伝動スピーカ１２を人間の頭の
どこかに接触させると、それだけで音が聴こえることになる。音を聴いている時、音波は
耳の穴から入って鼓膜に伝わり、そこで振動に変えられて、その奥にあるカタツムリのよ
うな聴覚器官に伝えられる。音波の振動は、最終的に聴覚器官で神経の信号に変換されて
、脳に送られる。ところが、音の振動が鼓膜を経ず、直接、頭の骨から聴覚器官に伝わる
場合にも、これを音として認識することができ、これを骨伝動聴力と呼んでいる。
【００２０】
次に、音声送信装置１００の構成について詳細に説明する。図１において、音声送信装
置１００は、制御部１０１、音声セレクタ２、ＦＭ変調部（変調手段）３、レベルシフタ
７、および赤外線発光ダイオード（赤外線送信手段）８を備えている。制御部１０１は、
ＣＰＵ４とＲＡＭ５とＲＯＭ６とを含み、音声セレクタ２を制御する。また、制御部１０
１は、テレビ受信機１からのシリアル伝送された機器情報を受けて逐次特定のプロトコル
に変換し、ＲＡＭ５に蓄積する。そして、プロトコル変換後の機器情報を、ＲＡＭ５より
順次取り出すことによって、シリアル信号に変換し、レベルシフタ７に供給する。
【００２１】
制御部１０１では、ＣＰＵ４がＲＯＭ６に記憶された制御プログラムに従い、ＲＡＭ５
を作業領域として動作することによって、前記のようなセレクト制御処理およびプロトコ
ル変換処理が実現される。
【００２２】
音声セレクタ２は、テレビ受信機１から出力される音声信号（ＬｏｕｔおよびＲｏｕｔ
）を受け、リモコン本体１０２側へ送信する音声として、Ｌ、ＲおよびＬ＋Ｒの中から何
れか１つの音声を選択し、ＦＭ変調部３に供給する。ここで、Ｌ、Ｒは、テレビ受信機１
の出力がステレオ信号の場合、それぞれ左音声、右音声に相当し、二か国語信号の場合、
それぞれ主音声、副音声に相当する。
【００２３】
レベルシフタ７は、プロトコル変換後の機器情報シリアル信号を受け、そのシリアル信
号の０，１に対応する振幅を、ロジックレベル（通常、ＣＰＵ４のＶｄｄおよびＶｓｓ）
からＦＭ変調部３に最適な振幅へと変換する。この振幅変換処理によって、ＦＭ復調部３
の最大周波数偏移が調整され、その結果、リモコン本体１０２側において、ＦＭ復調部（
復調手段）１０が最大の受信Ｓ／Ｎ性能を得ることができる。
【００２４】
ＦＭ変調部３は、２つの入力チャンネルを有し、一方のチャンネルには、音声セレクタ
２により選択された音声信号が入力され、他方のチャンネルには、レベルシフタ７によっ
て振幅変換された機器情報シリアル信号が入力される。ＦＭ変調部３は、互いに異なる周
波数を有する２つの副搬送波を、入力された２つの信号により、それぞれＦＭ変調して出
力する。
【００２５】
この場合、ＦＭ変調部３のチャンネルＬに音声信号が入力され、チャンネルＲに機器情
報シリアル信号が入力され、ＦＭ変調部３からは、例えば最大周波数偏移１００ＫＨｚに
て音声信号により変調された２．３ＭＨｚの副搬送波と、例えば最大周波数偏移１００Ｋ
Ｈｚにて機器情報シリアル信号により変調された２．８ＭＨｚの副搬送波とが出力される
。
【００２６】
赤外線発光ダイオード８には、ＦＭ変調部３から出力される２つの副搬送波が入力され
、赤外線発光ダイオード８からは、これら２つの副搬送波により群変調された赤外線が出
力される。このような回路構成により、「０」、「１」を２つの異なる周波数に対応させ
るＦＳＫ変調が行われたことになる。
【００２７】
なお、前述の制御部１０１が制御情報に対して行う「特定のプロトコルへの変換」には
、例えばブロック識別符号や誤り訂正符号の追加といった制御情報の非同期パケット転送
を可能にするための符号化処理と、制御情報のビットレートをＦＭ変調部３が変調可能な
値とするためのレート変換処理とが含まれる。
【００２８】
また、テレビ受信機１から制御部１０１のＣＰＵ４へ、機器情報シリアル信号を供給す
るための通信インターフェースについては、独自の規格のものを採用しても良いし、ＵＳ
ＢやＩＥＥＥ１３９４、ＲＳ２３２Ｃといった汎用的な規格のものを採用しても良い。但
し、図１の場合、テレビ受信機１の内部通信に用いられるＩＩＣバスを採用するのが好ま
しい。そうすれば、テレビ受信機１に新たなインターフェースを設けなくて済むので、テ
レビ受信機１側の構成を簡単にすることができる。
【００２９】
また、音声送信装置１００の制御部１０１が、テレビ受信機１から供給される機器情報
のプロトコル変換を行っているが、その代わりにテレビ受信機１がプロトコル変換を行い
、プロトコル変換済みの機器情報を音声送信装置１００に供給しても良い。そうすれば、
音声送信装置１００の制御部１０１は、音声セレクタ２の制御だけを行えば良いので、高
速なＣＰＵ４を用いる必要がなく、また、ＲＡＭ５の容量も少なくて良いので、本リモコ
ンＲが低価格化を図れる。
【００３０】
次に、リモコン本体１０２の構成について詳細に説明する。図１において、リモコン本
体１０２は、赤外線フォトトランジスタ（赤外線受信手段）９、ＦＭ復調部（復調手段）
１０、アンプ（増幅手段）１１、音量制御部１３、可変抵抗１４、骨伝導スピーカ１２、
波形整形部１５、制御部１０３、およびリモコン発光部２０を備えている。
【００３１】
赤外線フォトトランジスタ９は、音声送信装置１００の赤外線発光ダイオード８から出
力された赤外線を受光して、電気信号に変換する。ＦＭ復調部１０には、赤外線フォトト
ランジスタ９からの電気信号が入力され、ＦＭ復調部１０は、その電気信号を復調する。
ＦＭ復調部１０は、２つの出力チャンネルＬ，Ｒを有し、一方のチャンネルＬからは音声
信号が出力され、他方のチャンネルＲからは機器情報シリアル信号が出力される。
【００３２】
ＦＭ復調部１０のチャンネルＬから出力された音声信号は、アンプ１１を通じて増幅さ
れた後、骨伝導スピーカ１２に入力され、これにより、骨伝導スピーカ１２の圧電素子１
２１（図３参照）が振動し、この振動がユーザの頭の骨を伝導して聴覚器官に伝えられ、
この結果、ユーザは音声を聴き取ることができる。このとき出力される音声は、音声送信
装置１００の音声セレクタ２において、Ｒが選択されていれば、右音声（副音声）であり
、Ｌ＋Ｒが選択されていれば、左右の音声が加算された混合音声である。
【００３３】
可変抵抗１４は、骨伝導スピーカ１２から出力される音声の音量をユーザの操作によっ
て調整するために設けられている。音量制御部１３は、その音量を自動調整するための電
子ボリュームであり、制御部１０３の指示に従いアンプ１１の増幅率を変化させることに
より、骨伝導スピーカ１２から出力される音声の音量を制御する。
【００３４】
ＦＭ復調部１０のチャンネルＲから出力された機器情報シリアル信号は、波形整形部１
５に入力され、波形整形部１５は、例えば、振幅リミッタ、バンドパスフィルタ、および
レベルシフタなどにより構成され、入力された機器情報シリアル信号から、伝達系の雑音
や変調時に発生する高調波ノイズによる歪み成分を除去し、更に、その信号の「０」、「
１」に対応する振幅をロジックレベル（通常ＶｄｄとＶｓｓ）に変換する。
【００３５】
波形整形部１５から出力される波形整形後の機器情報シリアル信号は、制御部１０３の
ＣＰＵ１６のシリアル受信ポートに入力され、制御部１０３は、その機器情報シリアル信
号に基づいて、音声制御部１３を通じてアンプ１１の増幅率を調整し、また、その機器情
報シリアル信号に基づいてテレビ受信機１を遠隔制御するための機器制御コードを生成す
る。また、制御部１０３は、ユーザの入力操作に応じて機器制御コードを生成する。更に
、制御部１０３は、機器情報を文字表示し、かつ音声信号を出力する。
【００３６】
制御部１０３は、ＣＰＵ１６、ＲＡＭ１７、ＲＯＭ１８、キー入力部１９、表示部２１
、および音声変換部２２を含み、骨伝導スピーカ１２の音量制御や制御コード生成処理、
文字表示・音声出力処理は、ＣＰＵ１６がＲＯＭ１８に記憶された制御プログラムに従い
、ＲＡＭ１７を作業領域として動作することによって実現される。
【００３７】
即ち、ＣＰＵ１６は、最初、波形整形後の機器情報シリアル信号から機器情報データを
抽出して逐次ＲＡＭ１７に蓄積する。次いで、蓄積した機器情報データをパケット単位で
ＲＡＭ１７より順次取り出して、音声送信装置１００の制御部１０１で符号化したのと同
じプロトコルに基づいて元の機器情報に復号化する。そして、復号化された一つ一つの機
器情報を、ＲＡＭ１７に格納する。
【００３８】
制御部１０３において、骨伝導スピーカ１２の音量制御処理は、次のようにして行われ
る。ＣＰＵ１６は、ＲＡＭ１７から機器情報を読み出して内容を解析することにより、テ
レビ受信機１において選局されている受信チャンネルが「放送有り」から「放送無し」へ
変化したこと、およびその逆の変化を検出することができる。「放送有り」から「放送無
し」への変化を検出すると、ＣＰＵ１６は、音量制御部１３を通じてアンプ１１を制御す
ることにより、骨伝導スピーカ１２の音量を下げる。
【００３９】
その後、「放送無し」から「放送有り」へと変化すると、ＣＰＵ１６は、音量制御部１
３を通じてアンプ１１を制御することにより、骨伝導スピーカ１２の音量を元に戻す。こ
れにより、リモコン本体１０２では、テレビ受信機１において選局されている受信チャン
ネルが「放送有り」と「放送無し」との間で切り替わるのに応じて、自動的に音量を調整
できるようになる。
【００４０】
制御部１０３において、機器情報を文字表示する処理は、次のようにして行われる。表
示部２１は、例えば液晶パネルであり、音声送信装置１００から伝達された機器情報を文
字に変換して表示する。即ち、ＲＯＭ１８には、機器情報をテキスト（文字コード列）に
変換するための辞書と、テキストを文字表示するためのフォントデータとが格納されてお
り、ＣＰＵ１６は、ＲＡＭ１７から機器情報を読み出して、ＲＯＭ１８内の辞書を参照す
ることにより、その機器情報をテキストに変換する。そして、そのテキストをＲＡＭ１７
に格納する。次いで、ＣＰＵ１６は、ＲＡＭ１７に格納されているテキスト中に各文字コ
ードに対応するフォントデータをＲＯＭ１８から順次読み出し、表示部２１に与える。表
示部２１は、与えられたフォントデータに基づいて、機器情報を文字表示する。
【００４１】
制御部１０３において、機器情報を音声出力する処理は、次のようにして行われる。音
声変換部２２は、音声送信装置１００から送信されてきた機器情報を音声信号に変換する
。即ち、ＲＡＭ１７上のテキストバッファには、機器情報を変換して得られたテキストが
格納されており、ＲＯＭ１８には、各文字コードと対応する音声データが格納されている
。ＣＰＵ１６は、ＲＡＭ１７上のテキストバッファに格納されているテキスト中の各文字
コードに対応する音声データをＲＯＭ１８から順次読み出し、音声変換部２２に与える。
音声変換部２２は、与えられた音声データをＤ／Ａ変換して、音声信号を出力する。
【００４２】
音声変換部２２から出力された音声信号は、ＦＭ復調部１０のチャンネルＬから出力さ
れた音声信号と加算され、アンプ１１へと入力される。そして、アンプ１１によって増幅
された後、骨伝導スピーカ１２へと入力され、骨伝導スピーカ１２からテレビ音声と共に
機器情報を示す音声が出力される。
【００４３】
制御部１０３において、制御コード生成処理は、次のようにして行われる。ＣＰＵ１６
は、ＲＡＭ１７から機器情報を読み出して内容を解析することによって、テレビ受信機１
において選局されている受信チャンネルが「放送有り」から「放送無し」へと変化したこ
と、およびその逆の変化を検出することができる。「放送有り」から「放送無し」への変
化を検出すると、ＣＰＵ１６は、テレビ受信機１の音量を下げる（ミュートする）ための
制御コードを生成して、リモコン発光部２０を通じて赤外線送信する。更に、ミュート後
、「放送無し」から「放送有り」への変化を検出すると、ＣＰＵ１６は、テレビ受信機１
の音量を上げる（ミュート前の音量に戻す）ための制御コードを生成して、リモコン発光
部２０を通じて赤外線送信する。
【００４４】
また、ＣＰＵ１６は、ＲＡＭ１７から機器情報を読み出して内容を解析することにより
、テレビ受信機１が、モノラル放送またはステレオ放送を受信している状態から、二か国
語放送（主音声および副音声）を受信している状態に変化したことを検出することができ
る。「モノラル受信状態」または「ステレオ受信状態」から「二か国語受信状態」への変
化を検出すると、ＣＰＵ１６は、主音声および副音声のうちユーザが予め設定した方の音
声を音声送信装置１００に送信させるための制御コードを生成し、リモコン発光部２０を
赤外線送信する。
【００４５】
また、ＣＰＵ１６は、ＲＡＭ１７から機器情報を読み出して内容を解析することにより
、テレビ受信機１が、モノラル放送または二か国語放送を受信している状態から、ステレ
オ放送（右音声および左音声）を受信している状態に変化したことを検出することができ
る。「モノラル受信状態」または「二か国語受信状態」から「ステレオ受信状態」への変
化を検出すると、ＣＰＵ１６は、右音声と左音声との混合音声を音声送信装置１００に送
信させるための制御コードを生成し、リモコン発光部２０を通じて赤外線送信する。
【００４６】
このようにして赤外線送信された制御コードは、リモコン受光部２３を通じ、テレビ受
信機１によって受信される。テレビ受信機１は、受信した制御コードを音声送信装置１０
０の制御部１０１のＣＰＵへ転送すると共に、受信した制御コードがテレビ受信機１自体
への音量調整指示であれば、それに応じて音量調節を実行する。音声送信装置１００では
、テレビ受信機１から転送されてきた制御コードが送信音声切り換え指示であれば、それ
に応じて制御部１０１のＣＰＵ４が音声セレクタ２を制御して、送信音声の切り換えを実
行する。
【００４７】
次に、本リモコンＲが、例えば、図３に示すようなＡＶ（音声映像）システムに用いら
れた場合の概略的な動作について説明する。図３は図１のリモコンＲを採用したＡＶシス
テムの構成の一例を示す模式図である。
【００４８】
図３において、ＡＶシステム３００は、音声発生手段を有するテレビ受信機１と、この
テレビ受信機１と図示しないケーブルを介して接続されたＤＶＤレコーダ３０３と、この
ＤＶＤレコーダ３０３と図示しないケーブルを介して接続されたステレオアンプ３０４と
、このステレオアンプ３０４の左出力端子に図示しないケーブルを介して接続された高音
用スピーカａ１と中音用スピーカｂ１と低音用スピーカｃ１を収容した左側スピーカボッ
クス３０１と、ステレオアンプ３０４の右出力端子に図示しないケーブルを介して接続さ
れた高音用スピーカａ２と中音用スピーカｂ２と低音用スピーカｃ２を収容した右側スピ
ーカボックス３０２と、テレビ受信機１に搭載された音声送信装置１００と、テレビ受信
機１を遠隔制御するリモコン本体１０２とから構成される。
【００４９】
リモコン本体１０２の裏面１０２ａには骨伝動スピーカ１２が設けられている。なお、
骨伝動スピーカ１２は、リモコン本体１０２の表面や側面に設けても良い。ただ、リモコ
ン本体１０２の表面に骨伝動スピーカ１２を設けた場合は、ユーザが骨伝動スピーカ１２
に耳の辺りに接触すると、複数の操作キーが邪魔になる場合があるので、好ましくない。
【００５０】
リモコン本体１０２は、テレビ受信機１の他、ＤＶＤレコーダ３０３やステレオアンプ
３０４を遠隔制御するように構成しても良い。リモコン本体１０２がＤＶＤレコーダ３０
３をも遠隔制御する場合には、ＤＶＤレコーダ３０３の動作状態を示す機器情報シリアル
信号が、テレビ受信機１を経由してＤＶＤレコーダ３０３から音声送信装置１００に転送
される。
【００５１】
また、音声送信装置１００は、テレビ受信機１に限らず、ＤＶＤレコーダ３０３、ステ
レオアンプ３０４、ＤＶＤプレイヤ（図示せず）、ビデオカセットレコーダ（図示せず）
など、リモコンで遠隔制御される電子機器であれば、何れに設けても良い。
【００５２】
図１および図３において、音声送信装置１００は、テレビ受信機１から供給される音声
信号と、テレビ受信機１やＤＶＤレコーダ３０３から転送される機器情報シリアル信号と
を、赤外線発光ダイオード８を通じて赤外線送信する。リモコン本体１０２は、音声送信
装置１００の赤外線発光ダイオード８からの赤外線を赤外線フォトトランジスタ９で受光
して、骨伝導スピーカ１２から音声を出力すると共に、機器情報に基づいて、送信装置制
御および機器制御コードを生成する。
【００５３】
また、リモコン本体１０２は、従来と同様、キー入力部１９を有し、ユーザの入力操作
に応じて機器制御コードを生成する。そして、機器情報に基づいて生成した機器制御コー
ド、およびユーザの入力操作に応じて生成した機器制御コードを、リモコン発光部２０を
通じて赤外線送信する。即ち、リモコン本体１０２では、骨伝導スピーカ１２から音声が
出力され、また、テレビ受信機１やＤＶＤレコーダ３０３を遠隔制御するための機器制御
コードがユーザの入力操作に応じて生成される。
【００５４】
以上説明したように本実施形態によれば、電子機器のスピーカ（テレビ受信機のスピー
カやステレオ装置のスピーカ）から離れた場所で音声が聴き取り難い場合であっても、ス
ピーカの音量を上げることなく、リモコンの骨伝動スピーカから音声を聴くことができる
ようになる。
【図面の簡単な説明】
【００５５】
【図１】本発明の一実施形態に係るリモコンの構成を示すブロック図である。
【図２】前記実施形態における骨伝動スピーカの基本構造の説明図である。
【図３】図１のリモコンを採用したＡＶシステムの構成の一例を示す模式図である。
【符号の説明】
【００５６】
Ｒ    リモコン
１    テレビ受信機（電子機器）
３    ＦＭ変調部（変調手段）
８    赤外線発光ダイオード（赤外線送信手段）
９    赤外線フォトトランジスタ（赤外線受信手段）
１０    ＦＭ復調部（復調手段）
１１    アンプ（増幅手段）
１２    骨伝動スピーカ
１００    音声送信装置
１０２    リモコン本体
【図１】
2007081659.tif 000003
【図２】
2007081659.tif 000004
【図３】
2007081659.tif 000005